(57)【要約】【課題】樹脂などで形成されたレンチキュラーレンズを備えたレンズシートは柔軟に曲がらないので、レンズシートが湾曲した搬送経路で停止したり、レンズシートが破損してしまう。【解決手段】湾曲経路を有し、用紙カセット１２側から給送された用紙Ｐ１を記録部１３側に搬送する用紙反転ユニット４０を備え、用紙反転ユニット４０には、レンズシートＬＳが挿入可能な開口部４２が設けられ、開口部４２は、鉛直方向Ｚにおいて、記録部１３によって記録されるときのレンズシートＬＳの位置に設けられ、開口部４２と記録されるときのレンズシートＬＳの位置との間には、直線状に搬送する直線搬送経路が設けられる記録装置を提供する。【選択図】図４
2015120320.tif 000002
【特許請求の範囲】
【請求項１】
第１の被記録媒体、第２の被記録媒体に記録する記録部と、
前記第１の被記録媒体を収容する被記録媒体収容部と、
湾曲経路を有し、前記被記録媒体収容部側から給送された前記第１の被記録媒体を前記記録部側に搬送する湾曲経路搬送部と、を備え、
前記湾曲経路搬送部には、前記第２の被記録媒体が挿入可能な開口部が設けられ、
前記開口部は、鉛直方向において、前記記録部によって記録されるときの前記第２の被記録媒体の位置に設けられ、
前記開口部と前記位置との間には、直線状に搬送する直線搬送経路が設けられることを特徴とする記録装置。
【請求項２】
請求項１に記載の記録装置であって、
前記開口部の鉛直方向の下側には、水平方向に延在し、前記第２の被記録媒体を載置する載置台が備えられることを特徴とする記録装置。
【請求項３】
請求項２に記載の記録装置であって、
前記載置台は、延在する方向が鉛直方向に変えられることを特徴とする記録装置。
【請求項４】
請求項２または請求項３に記載の記録装置であって、
前記載置台は、前記第２の被記録媒体の搬送方向と交わる方向において、前記第２の被記録媒体の凹凸部と嵌合する嵌合部を備えることを特徴とする記録装置。
【請求項５】
請求項１から請求項４のいずれか一項に記載の記録装置であって、
前記直線搬送経路を搬送されるときの前記第２の被記録媒体の曲率は、前記湾曲経路搬送部を搬送されるときの前記第１の被記録媒体の曲率より小さいことを特徴とする記録装置。
【請求項６】
請求項１から請求項５のいずれか一項に記載の記録装置であって、
前記載置台には、前記第２の被記録媒体の搬送方向と交わる方向の端部の位置を規制するとともに、前記第２の被記録媒体の搬送方向をガイドするガイド部が備えられることを特徴とする記録装置。
【請求項７】
請求項１から請求項６のいずれか一項に記載の記録装置であって、
前記第２の被記録媒体は、トレイに載置されて搬送されることを特徴とする記録装置。
【請求項８】
請求項７に記載の記録装置であって、
前記第１の被記録媒体、前記第２の被記録媒体の搬送方向における端部を検出する端部検出部を備え、
前記トレイの搬送方向における端部は、前記端部検出部によって検出されることを特徴とする記録装置。
【請求項９】
請求項１から請求項８のいずれか一項に記載の記録装置であって、
前記湾曲経路搬送部は、被記録面が反転された姿勢の前記第１の被記録媒体を搬送することを特徴とする記録装置。
【請求項１０】
請求項１から請求項９のいずれか一項に記載の記録装置であって、
前記第２の被記録媒体は、視差変化による立体視可能な画像を形成する構成を備えることを特徴とする記録装置。
【発明の詳細な説明】
【技術分野】
【０００１】
本発明は、記録装置に関する。
【背景技術】
【０００２】
複数の凸レンズを配置したレンチキュラーレンズを備えたレンズシートに印刷画像を形成し、このレンチキュラーレンズの側からレンズシートを視認すると、立体感のある画像として視認できるようにした記録装置がある。例えば、特許文献１では、レンチキュラーレンズを備えたレンズシートにインクを噴射して印刷画像を形成する専用の記録装置が開示されている。
レンズシートに印刷画像を形成する専用の記録装置は、印刷可能な被記録媒体が限定されるため、記録装置としての製造コストが高くなる。そこで、例えば、特許文献２のような、装置本体の下部に用紙カセットを備えた記録装置を用いて、レンズシートに印刷画像を形成することが考えられる。
【先行技術文献】
【特許文献】
【０００３】
【特許文献１】特開２００９−９６１００号公報
【特許文献２】特開２０１３−１６６３９０号公報
【発明の概要】
【発明が解決しようとする課題】
【０００４】
しかしながら、このような記録装置には、用紙カセットが配置された装置本体の下部から上部に向かい、さらに記録部側に向かって湾曲した搬送経路が設けられている。そのため、樹脂などで形成されたレンチキュラーレンズを備えたレンズシートは柔軟に曲がらないので、レンズシートが湾曲した搬送経路で停止したり、レンズシートが破損してしまう。そのため、用紙カセットを備えた記録装置を用いて、レンズシートに印刷画像を形成することができないという課題がある。
【課題を解決するための手段】
【０００５】
本発明は、上述の課題の少なくとも一部を解決するためになされたものであり、以下の形態または適用例として実現することが可能である。
【０００６】
［適用例１］第１の被記録媒体、第２の被記録媒体に記録する記録部と、前記第１の被記録媒体を収容する被記録媒体収容部と、湾曲経路を有し、前記被記録媒体収容部側から給送された前記第１の被記録媒体を前記記録部側に搬送する湾曲経路搬送部と、を備え、前記湾曲経路搬送部には、前記第２の被記録媒体が挿入可能な開口部が設けられ、前記開口部は、鉛直方向において、前記記録部によって記録されるときの前記第２の被記録媒体の位置に設けられ、前記開口部と前記位置との間には、直線状に搬送する直線搬送経路が設けられることを特徴とする記録装置。
【０００７】
本適用例によれば、開口部が、鉛直方向において、記録部によって記録されるときの第２の被記録媒体の位置に設けられ、開口部と前記位置との間には、直線状に搬送する直線搬送経路が設けられる。これにより、第２の被記録媒体は、湾曲経路を搬送されることなく、直線搬送経路を搬送されて記録部によって記録される。そのため、第２の被記録媒体が、湾曲経路で停止したり、損傷されることがない。従って、第１の被記録媒体または第２の被記録媒体に記録を行うことができるので記録装置の製造コストの増加を抑制できる。
【０００８】
［適用例２］前記開口部の鉛直方向の下側には、水平方向に延在し、前記第２の被記録媒体を載置する載置台が備えられることを特徴とする上記記録装置。
【０００９】
本適用例によれば、第２の被記録媒体を安定した姿勢で記録部側に搬送できる。
【００１０】
［適用例３］前記載置台は、延在する方向が鉛直方向に変えられることを特徴とする上記記録装置。
【００１１】
本適用例によれば、載置台を使用しないときは、記録装置が占める空間領域を小さくできる。
【００１２】
［適用例４］前記載置台は、前記第２の被記録媒体の搬送方向と交わる方向において、前記第２の被記録媒体の凹凸部と嵌合する嵌合部を備えることを特徴とする上記記録装置。
【００１３】
本適用例によれば、第２の被記録媒体の搬送方向と交わる方向において、第２の被記録媒体の位置を定めることができる。
【００１４】
［適用例５］前記直線搬送経路を搬送されるときの前記第２の被記録媒体の曲率は、前記湾曲経路搬送部を搬送されるときの前記第１の被記録媒体の曲率より小さいことを特徴とする上記記録装置。
【００１５】
本適用例によれば、第２の被記録媒体が損傷することを抑制できる。
【００１６】
［適用例６］前記載置台には、前記第２の被記録媒体の搬送方向と交わる方向の端部の位置を規制するとともに、前記第２の被記録媒体の搬送方向をガイドするガイド部が備えられることを特徴とする上記記録装置。
【００１７】
本適用例によれば、第１の被記録媒体に形成される画像品質の低下を抑制できる。
【００１８】
［適用例７］前記第２の被記録媒体は、トレイに載置されて搬送されることを特徴とする上記記録装置。
【００１９】
本適用例によれば、トレイに載置された状態で搬送することによって第２の被記録媒体の位置が変動することを抑制できる。
【００２０】
［適用例８］前記第１の被記録媒体、前記第２の被記録媒体の搬送方向における端部を検出する端部検出部を備え、前記トレイの搬送方向における端部は、前記端部検出部によって検出されることを特徴とする上記記録装置。
【００２１】
本適用例によれば、トレイの搬送方向における端部を検出する端部検出部を別に設けなくてもよいので、製造コストの増加を抑制できる。
【００２２】
［適用例９］前記湾曲経路搬送部は、被記録面が反転された姿勢の前記第１の被記録媒体を搬送することを特徴とする上記記録装置。
【００２３】
本適用例によれば、湾曲経路搬送部を用いて、第１の被記録媒体の被記録面を反転させることができる。
【００２４】
［適用例１０］前記第２の被記録媒体は、視差変化による立体視可能な画像を形成する構成を備えることを特徴とする上記記録装置。
【００２５】
本適用例によれば、記録装置によって、視差変化による立体視可能な画像を第２の被記録媒体に形成することができる。
【図面の簡単な説明】
【００２６】
【図１】記録装置の外観斜視図。
【図２】記録装置の外観斜視図。
【図３】用紙反転ユニットが抜き取られた状態での記録装置の斜視図。
【図４】記録装置の概略構成を示す断面図。
【図５】（ａ）は、載置台を備えた記録装置の外観斜視図、（ｂ）は、載置台の一部を示す図、（ｃ）は、シートガイドとレンズシートの断面図。
【図６】用紙反転ユニットの開口部からレンズシートを挿入する状態を示す断面図。
【図７】（ａ）は、レンズシートをレンチキュラーレンズ側から見た図、（ｂ）は、レンズシートの概略構成を示す断面図。
【図８】用紙の搬送経路が交差する部分を、記録部の副走査方向における下流側に設けた記録装置の概略構成を示す図。
【図９】レンズシートを搭載したトレイを示す斜視図。
【発明を実施するための形態】
【００２７】
以下、記録装置の一実施形態について、図面に従って説明する。図１（ａ）は、本実施形態における記録装置１の正面側から見た外観斜視図である。図１（ｂ）は、本実施形態における記録装置１の背面側から見た外観斜視図である。記録装置１は、複数の筐体によって囲まれた略直方体形状を呈する筐体５内に、インクを噴射して画像を記録する記録部１３を備える。記録部１３は、インクを噴射する液体噴射ヘッド３を備え、キャリッジモーター（不図示）の駆動に伴って、ガイド部材４に沿って主走査方向Ｘに往復移動するキャリッジ２を含んで構成される。
【００２８】
筐体５の正面側には、記録部１３を操作するための操作パネル６が配置され、鉛直方向Ｚにおける操作パネル６の上面側には、画像読取部１１が配設されている。使用者は、筐体５の上部に設けられたカバー１０を回動させ、読み取り対象となる原稿などを原稿台（不図示）に載置し、画像を読み取らせることができる。
【００２９】
操作パネル６はメニュー画面等を表示するための表示部（例えば液晶ディスプレイ）や操作部（例えば操作ボタン）などを備えている。操作パネル６は、その上方側に設けられたヒンジなどの回転機構によって下方側が前方に持ち上げられて開く構成とされ、筐体５に開閉可能に取り付けられている。
【００３０】
記録部１３の下方には、用紙Ｐ１を積層状態で載置する用紙カセット１２が備えられる。操作パネル６の下方には、前面蓋部７が下部を支点として回動可能に備えられ、用紙カセット１２は、前面蓋部７が前面側に回動して開いた状態で、筐体５に対して挿抜可能に備えられる。用紙カセット１２に載置された用紙Ｐ１は、記録部１３に送られて記録され、副走査方向Ｙにおける下流側（以降は、下流側という）に排出される。
【００３１】
図２（ａ）、（ｂ）は、記録装置１の背面側上部に設けられた開閉蓋９が回動し開いた状態を示す。使用者は、開閉蓋９を回動させ、差込口８から手差しで一枚ずつ用紙Ｐ２を挿入する。差込口８から挿入された用紙Ｐ２は、記録部１３に送られて、記録され下流側に排出される。
【００３２】
図１（ｂ）、図２（ｂ）の用紙反転ユニット４０の背面側の背面壁部４８には、主走査方向Ｘに延びる開口部４２が設けられる。開口部４２は、後述するレンズシートＬＳ（図７（ａ）、（ｂ）参照）が使用者によって挿入されるための挿入口となる。
【００３３】
図３は、用紙反転ユニット４０が筐体５に設けられた装着部２０から後方へ抜き取られた状態で、背面側から見た記録装置１の斜視図である。図１（ａ）の記録装置１の背面側の用紙カセット１２の上方には、用紙の反転機構を備えた図３の用紙反転ユニット４０が、装着部２０に対して着脱可能に備えられる。
【００３４】
用紙反転ユニット４０は、図１（ａ）の用紙カセット１２に載置された用紙Ｐ１が、記録部１３に向かって搬送されるときや、図２（ａ）の差込口８から挿入された用紙Ｐ２が記録部１３に向かって搬送されるときの、搬送経路を有する。
【００３５】
また、用紙反転ユニット４０の搬送経路は、記録部１３へ供給される用紙Ｐ１，Ｐ２の両面に記録を行うために、用紙Ｐ１，Ｐ２の表裏の面を反転つまり被記録面を反転させる際の搬送経路となる。
【００３６】
図１（ｂ）の用紙反転ユニット４０には、使用者が指先を挿入して把持動作することで主走査方向Ｘにスライド移動する一対の操作部４１が設けられる。使用者がこの操作部４１を互いに近づくようにスライド移動させることで筐体５との係止状態が解除され、筐体５から用紙反転ユニット４０を後方へ抜き取ることができる。
【００３７】
図４は、用紙反転ユニット４０を装着部２０に装着した状態で、主走査方向Ｘから見た記録装置１の概略構成を示す断面図である。記録部１３の上方には、カバー１０を上部に備えた画像読取部１１が配置される。装着部２０の下方には、回動軸２４を支点として揺動する揺動部材２３に支持される給送ローラー２２が備えられる。
【００３８】
用紙反転ユニット４０の筐体は、背面壁部４８、上部壁部４９を含んで構成される。用紙反転ユニット４０は、中間搬送駆動ローラー５０、中間搬送駆動ローラー５０の駆動回転により従動回転する従動ローラー５１，５２，５３、回動軸４４を支点として揺動する揺動部材４５、回動軸４６を支点として揺動する揺動部材４７、回動軸５５を支点として揺動する揺動部材５４、を含んで構成される。また、用紙反転ユニット４０は、開閉蓋９、差込口８を構成する部材を含む。
【００３９】
用紙カセット１２に載置された用紙Ｐ１は、給送ローラー２２の駆動回転により、分離斜面２５を通り、揺動部材５４と実線に示す回動位置にある揺動部材４５との間に形成された空間領域である搬送路Ｓ１に給送される。矢印方向に駆動回転する中間搬送駆動ローラー５０と、従動ローラー５２，５３によって挟持された用紙Ｐ１は、実線に示す回動位置にある揺動部材４７と中間搬送駆動ローラー５０との間の空間領域である搬送路Ｓ２を通り、上部壁部４９と、壁部２１との間に形成された空間領域である搬送路Ｓ３に搬送され、壁部２１の上部に形成された搬送面２１ａに沿って下流側に搬送される。
【００４０】
搬送面２１ａに沿って搬送される用紙Ｐ１は、駆動回転する搬送駆動ローラー２６と、搬送駆動ローラー２６の駆動回転により従動回転する従動ローラー２７とに挟持され、液体噴射ヘッド３と対向する位置を支持部材２８に支持されて下流側に搬送される。
【００４１】
主走査方向Ｘに往復移動する液体噴射ヘッド３によって、搬送される用紙Ｐ１にインクが噴射されて画像が記録される。用紙Ｐ１は、排出駆動ローラー２９と、排出駆動ローラー２９の駆動回転によって従動回転する従動ローラー３０とに挟持され、搬送路形成部材３１の上面に沿って下流側に搬送され、前面蓋部７が回動して形成された開口部から排出される。
【００４２】
破線に示すように開閉蓋９が背面側に回動された状態で、図２（ａ）の用紙Ｐ２が差込口８から挿入されると、破線に示すように揺動部材４７の先端部が下方に回動し、差込口８の中間搬送駆動ローラー５０側が開放される。
【００４３】
用紙Ｐ２は、駆動回転する中間搬送駆動ローラー５０と従動ローラー５３とに挟持されて搬送路Ｓ３に搬送される。そして、用紙Ｐ２は、搬送駆動ローラー２６と従動ローラー２７とによって搬送されながら、記録部１３において画像が記録され、前面蓋部７が回動して形成された開口部から排出される。
【００４４】
次に、用紙反転ユニット４０によって、用紙Ｐ１，Ｐ２が反転されて、用紙Ｐ１，Ｐ２の表面と裏面との両面に記録を行う動作について説明する。用紙カセット１２から搬送路Ｓ１，Ｓ２を通り搬送された用紙Ｐ１、差込口８から挿入された用紙Ｐ２は、中間搬送駆動ローラー５０と従動ローラー５３によって下流側に搬送される。この時点では、用紙Ｐ１，Ｐ２は、表面が上方すなわち液体噴射ヘッド３側に向いた状態で、搬送駆動ローラー２６と従動ローラー２７とによって搬送され、記録部１３において用紙Ｐ１，Ｐ２の表面に画像が記録される。
【００４５】
そして、表面に画像が記録された用紙Ｐ１，Ｐ２は、搬送駆動ローラー２６の逆回転により、副走査方向Ｙにおける上流側（以降は、上流側という）に搬送され、矢印方向に駆動回転する中間搬送駆動ローラー５０と、従動ローラー５１とによって、従動ローラー５１と揺動部材４５との間の空間領域である搬送路Ｓ４に搬送される。
【００４６】
破線に示すように、揺動部材４５は先端部が背面側に回動し、用紙Ｐ１，Ｐ２は搬送路Ｓ１に搬送される。そして、用紙Ｐ１，Ｐ２は、中間搬送駆動ローラー５０と従動ローラー５２，５３とによって搬送路Ｓ２，Ｓ３を通り搬送される。この時点における用紙Ｐ１，Ｐ２は、裏面が上方を向いた姿勢で搬送面２１ａに沿って下流側に搬送され、搬送駆動ローラー２６と従動ローラー２７とによって搬送され、記録部１３において用紙Ｐ１，Ｐ２の裏面に画像が記録される。
【００４７】
液体噴射ヘッド３の上流側には、用紙Ｐ１，Ｐ２の副走査方向Ｙの端部を検出する、例えば光学式の端部検出部３２が備えられる。
【００４８】
ここで、レンズシートＬＳについて説明する。図７（ａ）は、レンズシートＬＳをレンチキュラーレンズＬＳ１側から見た図である。レンチキュラーレンズＬＳ１は、方向Ｈを長手方向とする複数のシリンドリカル凸レンズＬ（以降は、レンズＬという）が、一定のピッチＫで幅方向Ｗに並列配置された構成となっている。
【００４９】
図７（ｂ）は、方向Ｈから見たレンズシートＬＳの概略構成を示す断面図である。レンズシートＬＳは、表面に位置するレンチキュラーレンズＬＳ１と、このレンチキュラーレンズＬＳ１の裏面と接するインク吸収層ＬＳ２と、レンズシートＬＳの裏面に位置するインク透過層ＬＳ３とを具備している。レンチキュラーレンズＬＳ１においては、それぞれのレンズＬを進行する光の焦点が、レンチキュラーレンズＬＳ１の裏面に位置するように、レンズＬの曲率が形成される。
【００５０】
インク透過層ＬＳ３は、不図示のノズルから噴射されたインク滴が最初に付着する部分であり、付着したインクが透過していく部分である。このインク透過層ＬＳ３は、たとえば酸化チタン、シリカゲル、ＰＭＭＡ（メタクリル樹脂）等の微粒子、硫酸バリウム、ガラスファイバー、プラスチックファイバー等を材質として形成されている。また、インク吸収層ＬＳ２は、インク透過層ＬＳ３を透過したインクを吸収し固着させる部位である。このインク吸収層ＬＳ２は、たとえばＰＶＡ（ポリビニルアルコール）等の親水性ポリマー樹脂、カチオン化合物、シリカ等の微粒子等を材質として形成されている。また、レンチキュラーレンズＬＳ１は、ＰＥＴ、ＰＥＴＧ、ＡＰＥＴ、ＰＰ、ＰＳ、ＰＶＣ、アクリル、ＵＶ樹脂等を材質として形成されている。
【００５１】
なお、インク吸収層ＬＳ２は透明であると共に、インク透過層ＬＳ３は、白色である。しかしながら、インク吸収層ＬＳ２が白色であっても良く、またインク透過層ＬＳ３が透明であっても良く、さらにインク透過層ＬＳ３とインク吸収層ＬＳ２の両方が透明であっても良い。また、本実施例では、インク透過層ＬＳ３が存在することにより、印刷後であっても、レンズシートＬＳを直ぐに触ることが可能となっている。しかしながら、レンズシートＬＳは、インク透過層ＬＳ３を具備しない構成を採用しても良い。
【００５２】
また、図７（ａ）に示すように、本実施例におけるレンズシートＬＳは矩形状の外観を有し、レンズシートＬＳの幅方向Ｗの両端部（方向Ｈに延びる縁部）が、レンズＬの長手方向と平行となっている。
【００５３】
図５（ａ）は、筐体５の背面側に載置台５６を備えた記録装置１の外観斜視図である。記録装置１の背面側に、載置台５６が着脱可能に備えられる。記録装置１の背面側には、載置台５６を回動可能に支持する係合部（不図示）が設けられる。図５（ａ）に示すように、載置台５６は、水平方向に載置面が延びるようにして備えられる。使用者は、レンズシートＬＳを載置台５６に載置し、開口部４２からレンズシートＬＳを挿入する。
【００５４】
使用者は、載置台５６の先端部（図面右側）を矢印方向に回動させて、一点鎖線に示すように、載置台５６の載置面を鉛直方向にした状態にすることができる。このような構成により、レンズシートＬＳを開口部４２から挿入して記録する必要のないときは、載置台５６を鉛直方向にした状態にし、記録装置１の占める背面側の空間領域を小さくすることができる。
【００５５】
載置台５６の上部における主走査方向Ｘにおける両側には、レンズシートＬＳの主走査方向Ｘにおける両端部の位置を規制するエッジガイド５７ａ，５７ｂが、主走査方向Ｘにスライド可能に備えられる。エッジガイド５７ａ，５７ｂは、載置台５６から上方に立設するとともに、副走査方向Ｙに延在する形状である。
【００５６】
載置台５６の上部には、図５（ｂ）のシートガイド５６１が設けられる。シートガイド５６１は、エッジガイド５７ａ，５７ｂによってレンズシートＬＳの両端部が規制される主走査方向Ｘにおける最大の範囲内に設けられる。また、シートガイド５６１は、載置台５６の上部における副走査方向Ｙにおいては、エッジガイド５７ａ，５７ｂが設けられた範囲を除いて、載置台５６における前面側の端部から背面側の端部まで設けられる。
【００５７】
図５（ｂ）は、載置台５６の破線Ｒで示した円内の部分を拡大した図である。載置台５６は、支持部材５６０と、支持部材５６０の上部に貼付されたシートガイド５６１とによって構成される。
【００５８】
図５（ｃ）は、シートガイド５６１と、シートガイド５６１の上部に載置されたレンズシートＬＳを、副走査方向Ｙから見た断面図である。シートガイド５６１は、基板５６３にレンチキュラーレンズＬＳ１と同一部材である凸部５６２が貼付されて構成される。
【００５９】
凸部５６２は、レンズシートＬＳのレンチキュラーレンズＬＳ１と同一形状に形成され、図７（ｂ）のレンチキュラーレンズＬＳ１の配設ピッチＫと同一ピッチに形成される。
【００６０】
尚、基板５６３を樹脂成形により作成する場合には、成形金型に予め凸部５６２に対応する型面を形成して、凸部５６２を基板５６３と一体に成形するようにしても良い。また、フッ素樹脂等の低摩擦の樹脂材によって基板５６３を形成することにより、レンズシートＬＳと凸部５６２との摩擦が小さくなり、レンズシートＬＳの搬送を滑らかに行うことができる。また、基板５６３を金属板により形成してもよい。この場合には、金属板を切削加工することにより凸部５６２を形成することができる。
【００６１】
図６は、用紙反転ユニット４０の開口部４２からレンズシートＬＳを挿入する状態を示す断面図である。用紙Ｐ１，Ｐ２に画像を記録するときは、揺動部材５４は、破線に示す回動位置にあり、図１（ｂ）、図２（ｂ）に示すように、開口部４２を内側から覆う状態となる。
【００６２】
使用者は、レンズシートＬＳに画像を形成しようとするときは、操作パネル６の操作ボタンにより、揺動部材５４、揺動部材４５を図６に示す回動位置（揺動部材５４は実線で示す回動位置）にそれぞれ設定する。これにより、開口部４２は開いた状態となり、揺動部材４５と揺動部材５４との間、および揺動部材４５と中間搬送駆動ローラー５０との間が開放される。
【００６３】
そして、開口部４２から挿入されたレンズシートＬＳは、中間搬送駆動ローラー５０と従動ローラー５１とによって挟持され、壁部２１の上部に形成された搬送面２１ａに沿って下流側に搬送される。
【００６４】
搬送されるレンズシートＬＳの下流側および上流側の端部は、端部検出部３２によって検出される。さらに、レンズシートＬＳは、液体噴射ヘッド３が対向する支持部材２８の上部の位置に搬送され、記録部１３によって画像が記録され、前面蓋部７が前面側に回動して形成された開口部から排出される。
【００６５】
図９は、レンズシートＬＳを搭載したトレイ８０を示す図である。レンズシートＬＳが搭載されたトレイ８０を、図６の載置台５６に沿って挿入し、中間搬送駆動ローラー５０と従動ローラー５１とによってトレイ８０を記録部１３側に搬送させ、レンズシートＬＳに画像を形成するようにしてもよい。
【００６６】
トレイ８０は、鉛直方向Ｚから見た外形形状が矩形状を有し、上端面より窪んだ矩形状の凹部８１を有する。凹部８１には、レンズシートＬＳが収容される。凹部８１には、レンズシートＬＳの端部を主走査方向Ｘにおいて押圧する押圧部材８２と、レンズシートＬＳの端部を副走査方向Ｙにおいて押圧する押圧部材８３とが備えられる。これにより、レンズシートＬＳの位置がトレイ８０に対して固定される。
【００６７】
図３に示すように、用紙反転ユニット４０が装着部２０から取り外された状態では、記録部１３の上流側が開放された状態となる。これにより、記録装置１は、筐体５の前面側から挿入されたレンズシートＬＳに対しても記録を行うことが可能である。使用者は、図１（ａ）の操作パネル６、前面蓋部７を前面側にそれぞれ回動し、記録装置１の前面側が開口した状態で、レンズシートＬＳを挿入する。
【００６８】
記録装置１は、図６の排出駆動ローラー２９、従動ローラー３０、搬送駆動ローラー２６、従動ローラー２７を用いて、レンズシートＬＳを上流側に搬送する。そして、下流側に搬送しながら、記録部１３によってレンズシートＬＳに記録を行う。レンズシートＬＳを上流側に搬送するときに、記録部１３によってレンズシートＬＳに記録を行うようにしてもよい。
【００６９】
用紙Ｐ１，Ｐ２は、第１の被記録媒体である。第１の被記録媒体は、紙材などの柔軟な部材で構成されたものであり、第１の被記録媒体が湾曲した搬送経路を通ることにより、湾曲した搬送経路で停止したり、損傷を受けることがない。
【００７０】
レンズシートＬＳは、第２の被記録媒体である。第２の被記録媒体は、樹脂や金属などの部材を含んで構成されたものである。また、厚い紙材で構成されたものも第２の被記録媒体に含まれる。
【００７１】
用紙反転ユニット４０は、湾曲経路搬送部を構成する。図４の用紙反転ユニット４０には、中間搬送駆動ローラー５０の外周側に、搬送路Ｓ１，Ｓ２，Ｓ４によって湾曲した搬送経路が設けられる。
【００７２】
以上、本実施形態で説明した記録装置１は、第１の被記録媒体としての用紙Ｐ１，Ｐ２、第２の被記録媒体としてのレンズシートＬＳに記録する記録部１３と、用紙Ｐ１を収容する被記録媒体収容部としての用紙カセット１２と、湾曲経路を有し、用紙カセット１２側から給送された用紙Ｐ１を記録部１３側に搬送する湾曲経路搬送部としての用紙反転ユニット４０と、を備える。
【００７３】
そして、用紙反転ユニット４０には、レンズシートＬＳが挿入可能な開口部４２が設けられ、開口部４２は、鉛直方向Ｚにおいて、記録部１３によって記録されるときのレンズシートＬＳの位置に設けられ、開口部４２と記録されるときのレンズシートＬＳの位置との間には、直線状に搬送する直線搬送経路が設けられる。
【００７４】
この構成によれば、レンズシートＬＳは、湾曲経路を搬送されることなく、直線搬送経路を搬送されて記録部１３によって記録される。そのため、レンズシートＬＳが、湾曲経路で停止したり、損傷されることがない。従って、記録装置１は、レンズシートＬＳに記録を行う専用の記録装置としてではなく、用紙Ｐ１，Ｐ２、レンズシートＬＳに記録を行う共用の記録装置１として構成することができるので記録装置１の製造コストの増加を抑制できる。
【００７５】
また、開口部４２の下側には、水平方向に延在し、レンズシートＬＳを載置する載置台５６が備えられる。これにより、レンズシートＬＳを安定した姿勢で記録部１３側に搬送できる。
【００７６】
載置台５６は、延在する方向が鉛直方向に変えられる。この構成によれば、載置台５６を使用しないときは、記録装置１の背面側が占める空間領域を小さくできる。
【００７７】
また、図５（ａ）の載置台５６は、図５（ｂ）の複数の凸部５６２が形成されたシートガイド５６１を備え、複数の凸部５６２は、レンズシートＬＳの搬送方向（副走査方向Ｙ）と交わる方向（主走査方向Ｘ）において、レンズシートＬＳの複数のレンズＬによって形成された凹凸部と嵌合する嵌合部を構成する。
【００７８】
この構成によれば、レンズシートＬＳの搬送方向と交わる方向において、レンズシートＬＳの位置を定めることができる。
【００７９】
また、開口部４２から液体噴射ヘッド３が対向する支持部材２８の上部の位置まで形成された直線搬送経路を搬送されるときのレンズシートＬＳの曲率は、用紙反転ユニット４０を搬送されるときの用紙Ｐ１，Ｐ２の曲率より小さい。これによれば、レンズシートＬＳが損傷することを抑制できる。
【００８０】
また、載置台５６には、レンズシートＬＳの搬送方向と交わる方向（主走査方向Ｘ）の端部の位置を規制するとともに、レンズシートＬＳの搬送方向をガイドするガイド部としてのエッジガイド５７ａ，５７ｂが備えられる。レンズシートＬＳが搬送方向に対して傾斜した状態で搬送されて記録されると、レンズＬごとの視差変化に応じた位置にインクを噴射できない。そのため、レンズシートＬＳに描かれた画像を立体視できない。
【００８１】
エッジガイド５７ａ，５７ｂによって、レンズシートＬＳが搬送方向に対して傾斜することを抑制するので、レンズシートＬＳに描かれた画像を立体視することが可能となり、レンズシートＬＳに形成される画像品質の低下を抑制できる。
【００８２】
また、レンズシートＬＳは、トレイ８０に載置されて搬送される。これにより、レンズシートＬＳの位置が変動することを抑制できる。
【００８３】
また、用紙Ｐ１，Ｐ２、レンズシートＬＳの搬送方向における端部を検出する端部検出部３２を備え、トレイ８０の搬送方向における下流側および上流側の端部は、端部検出部３２によって検出される。
【００８４】
これによれば、トレイ８０の搬送方向における端部を検出する端部検出部を別に設けなくてもよいので、製造コストの増加を抑制できる。
【００８５】
また、用紙反転ユニット４０は、被記録面が反転された姿勢の用紙Ｐ１，Ｐ２を搬送する。これによれば、用紙反転ユニット４０を用いて、用紙Ｐ１，Ｐ２の被記録面を反転させることができる。
【００８６】
また、図７のレンズシートＬＳは、視差変化による立体視可能な画像を形成する構成を備える。この構成によれば、記録装置１によって、視差変化による立体視可能な画像をレンズシートＬＳに形成することができる。
【００８７】
本実施形態の図４の記録装置１は、記録部１３の上流側に、用紙Ｐ１，Ｐ２の搬送経路が交差する部分（搬送路Ｓ３）が設けられたが、本発明は、用紙の搬送経路が交差する部分を、記録部の下流側に設けた記録装置にも適用する。
【００８８】
図８は、主走査方向から見た図で、用紙の搬送経路が交差する部分を、記録部の下流側に設けた記録装置１２０の概略構成を示す図である。記録装置１２０には、内側壁部１０２と外側壁部１０１との間に湾曲経路が構成された用紙反転部１００が備えられる。また、主走査方向に往復移動するキャリッジ１１２に備えられた液体噴射ヘッド１１３を含んで構成される記録部の下流側に、用紙の搬送経路が交差する部分Ｃ（破線の円内）が設けられる。用紙の搬送経路が交差する部分Ｃには、軸１１８を支点として揺動する揺動部材１１７が設けられる。
【００８９】
液体噴射ヘッド１１３の上流側には、ローラー１０３，１０４のうちの一方を駆動ローラーとし他方を従動ローラーとするローラー対１０５が備えられる。液体噴射ヘッド１１３の下流側には、ローラー１０６，１０７のうちの一方を駆動ローラーとし他方を従動ローラーとするローラー対１０８、ローラー１０９，１１０のうちの一方を駆動ローラーとし他方を従動ローラーとするローラー対１１１が備えられる。
【００９０】
実線矢印Ａ１，Ａ２に示すように、用紙が、用紙反転部１００を通り、ローラー対１０５，１０８によって、搬送面を構成する部材１１４に沿って下流側（図面右側）に搬送される。搬送される用紙は、液体噴射ヘッド１１３と対向する位置において一方の被記録面に画像が形成される。
【００９１】
実線矢印Ａ３に示すように、用紙は、揺動部材１１７が実線に示した回動位置にあって搬送経路が開放された状態にあるので、ローラー対１１１によって、搬送面を構成する部材１１５に沿って下流側に搬送される。
【００９２】
そして、用紙は、ローラー対１１１の逆回転によって、上流側（図面左側）に搬送される。このとき、揺動部材１１７が破線に示した位置に回動し、部材１１４側の搬送経路が閉じ、部材１１６側の搬送経路が開放されることにより、破線矢印Ｂ１に示すように、用紙は、搬送面を構成する部材１１６に沿って搬送される。そして、用紙は、再び用紙反転部１００の湾曲経路を通り、液体噴射ヘッド１１３と対向する位置を通り、他方の被記録面に画像が形成される。
【符号の説明】
【００９３】
１，１２０…記録装置、１２…用紙カセット、１３…記録部、２０…装着部、３２…端部検出部、４０…用紙反転ユニット、４２…開口部、５６…載置台、５７ａ，５７ｂ…エッジガイド、８０…トレイ、５６２…凸部、ＬＳ…レンズシート、Ｐ１，Ｐ２…用紙、Ｓ１，Ｓ２，Ｓ３，Ｓ４…搬送路、Ｘ…主走査方向、Ｙ…副走査方向、Ｚ…鉛直方向。
【図１】
2015120320.tif 000003
【図２】
2015120320.tif 000004
【図３】
2015120320.tif 000005
【図４】
2015120320.tif 000006
【図５】
2015120320.tif 000007
【図６】
2015120320.tif 000008
【図７】
2015120320.tif 000009
【図８】
2015120320.tif 000010
【図９】
2015120320.tif 000011